(57)【特許請求の範囲】
【請求項１】
圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、
冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、
前記放熱用熱交換器を使用しない暖房運転モ−ドであることを検知する運転モ−ド検知手段と、暖房運転時の前記第２補助熱交換器出口の冷媒過熱度とその保持時間を検知する冷媒過熱度検知手段と、前記第２補助熱交換器内圧力と前記放熱用熱交換器内圧力の圧力差を検知する圧力検知手段と、前記運転モ−ド検知手段と前記冷媒過熱度検知手段と前記圧力検知手段とにより得られた情報に基づいて前記第２流量弁、及び前記室内ファン、及び前記圧縮機を駆動するよう演算処理を行う第１演算処理手段とから構成された第１制御装置とを有し、
前記第１演算処理手段は、前記運転モ−ド検知手段によって前記放熱用熱交換器を使用しない暖房運転モ−ドであると検知したとき、前記冷媒過熱度検知手段によって検知された前記冷媒過熱度、及びその保持時間が第１の所定値以下かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過熱度、及びその保持時間が第１の所定値より大かつ所定時間以上継続するまで前記第２流量弁を所定開度まで開き、前記冷媒過熱度、及びその保持時間が第１の所定値より大きい第２の所定値以上かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過熱度、及びその保持時間が第２の所定値より小かつ所定時間以上継続するまで前記第２流量弁を所定開度まで開くことを特徴とする蓄熱式空気調和機。
【請求項２】
圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、
冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、
前記放熱用熱交換器を使用しない暖房運転モ−ドであることを検知する運転モ−ド検知手段と、暖房運転時の前記冷媒搬送ポンプ入口の冷媒過冷却度とその保持時間を検知する冷媒過冷却度検知手段と、前記第２補助熱交換器内圧力と前記放熱用熱交換器内圧力の圧力差を検知する圧力検知手段と、前記運転モ−ド検知手段と前記冷媒過冷却度検知手段と前記圧力検知手段とにより得られた情報に基づいて前記第２流量弁、及び前記室内ファン、及び前記圧縮機を駆動するよう演算処理を行う第２演算処理手段とから構成された第２制御装置とを有し、
前記第２演算処理手段は、前記運転モ−ド検知手段によって前記放熱用熱交換器を使用しない暖房運転モ−ドであると検知したとき、前記冷媒過冷却度検知手段によって検知された前記冷媒過冷却度、及びその保持時間が第３の所定値以上かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過冷却度、及びその保持時間が第３の所定値より小さい第４の所定値以下かつ所定時間以上継続するまで前記第２流量弁を所定開度まで開き、前記冷媒過冷却度、及びその保持時間が第４の所定値より小さい第５の所定値以下かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過冷却度、及びその保持時間が第５の所定値より大きく第４の所定値より小さい第６の所定値以上かつ所定時間以上継続するまで前記第２流量弁を所定開度まで開くことを特徴とする蓄熱式空気調和機。
【発明の詳細な説明】
【０００１】
【産業上の利用分野】
本発明は、空気を熱源とする空気調和機において、夜間電力を利用するための蓄熱・放熱機能、及びその制御機能を備えた蓄熱式空気調和機に関する。
【０００２】
【従来の技術】
蓄熱式空気調和機については、既にさまざまな開発がなされており、例えば、特開平３−１４４２３６号公報に示されているような蓄熱式空気調和機がある。
【０００３】
その基本的な技術について述べると、図７に示すように、室外機１は、圧縮機２、四方弁３、室外側熱交換器４、膨張弁５、第１切替弁ＫＶ１、第１補助熱交換器７ａと第２補助熱交換器７ｂとからなる冷媒対冷媒熱交換器ＨＥＸ、蓄熱用熱交換器８ａと放熱用熱交換器８ｂと蓄熱材である水９とからなる蓄熱槽ＳＴＲ、冷媒の流路を切替える第２切替弁ＫＶ２、冷媒量を調節する冷媒タンク１１、及び液冷媒を搬送する冷媒搬送ポンプＰＭとから構成されている。また、複数の室内機１３ａ，１３ｂは、利用側熱交換器１４ａ，１４ｂから構成されている。
【０００４】
また、熱源側冷凍サイクルは、圧縮機２、四方弁３、室外側熱交換器４、膨張弁５、第１切替弁ＫＶ１、冷媒対冷媒熱交換器ＨＥＸの第１補助熱交換器７ａが順次環状に接続され、蓄熱槽ＳＴＲの蓄熱用熱交換器８ａの一端が、第１切替弁ＫＶ１に接続され蓄熱槽ＳＴＲの蓄熱用熱交換器８ａの他端が、冷媒対冷媒熱交換器ＨＥＸの第１補助熱交換器７ａと四方弁３との間に連通してなる。
【０００５】
利用側冷凍サイクルは、冷媒タンク１１、冷媒搬送ポンプＰＭ、冷媒対冷媒熱交換器ＨＥＸの第２補助熱交換器７ｂ、第２切替弁ＫＶ２、室内機１３ａ，１３ｂの利用側熱交換器１４ａ，１４ｂが順次環状に接続され、蓄熱槽ＳＴＲの放熱用熱交換器８ｂの一端が、第２切替弁ＫＶ２に接続され蓄熱槽ＳＴＲの放熱用熱交換器８ｂの他端が、冷媒対冷媒熱交換器ＨＥＸの第２補助熱交換器７ｂと冷媒搬送ポンプＰＭとの間に連通してなる。
【０００６】
次に、その冷凍サイクルについて説明する。この冷凍サイクルは、夜間に温水を作る暖房蓄熱運転（製氷する冷房製氷運転）と、昼間の暖房運転（冷房運転）に大きく分けることができる。尚、夜間製氷運転と昼間の冷房運転については、運転モ−ドのみの説明にとどめ詳細な説明は割愛する。
Ａ）夜間蓄熱運転
熱源側冷凍サイクルにおいて、蓄熱槽ＳＴＲが作用し、冷媒対冷媒熱交換器ＨＥＸは作用しないように第１切替弁ＫＶ１を切替える。この時、冷媒搬送ポンプＰＭは停止しており、利用側サイクルは作用しない。この熱源側冷凍サイクルの作用について、以下説明する。
【０００７】
尚、四方弁３のモ−ドについては、圧縮機２の吐出側と室外側熱交換器４とを、かつ圧縮機２の吸入側と蓄熱槽ＳＴＲとを連通する場合を冷房モ−ド、圧縮機２の吐出側と蓄熱槽ＳＴＲとを、かつ圧縮機２の吸入側と室外側熱交換器４とを連通する場合を暖房モ−ドと定義する。
【０００８】
また、第１切替弁ＫＶ１については熱源側冷凍サイクル内にて蓄熱槽ＳＴＲと膨張弁５とを連通する設定を第１ＳＴＲ回路、冷媒対冷媒熱交換器ＨＥＸと膨張弁５とを連通する設定を第１ＨＥＸ回路と定義する。
【０００９】
Ａ−１）暖房蓄熱運転
四方弁３を暖房モ−ド、膨張弁５を所定の開度、第１切替弁ＫＶ１を第１ＳＴＲ回路とする。この時、圧縮機２から送られる高温高圧の冷媒は、蓄熱槽ＳＴＲの蓄熱用熱交換器８ａ内にて凝縮し、蓄熱材である水９を加熱する。その後、膨張弁５で減圧されて液あるいは二相状態となり、室外側熱交換器４にて蒸発し、圧縮機２へ戻る。この様な作用により、蓄熱槽ＳＴＲ内の水が温水となり、蓄熱されていく。
Ｂ）昼間運転
昼間時の暖房運転は、圧縮機２と室外側熱交換器４と冷媒対冷媒熱交換器ＨＥＸと冷媒搬送ポンプＰＭと利用側熱交換器１４ａ，１４ｂを作用させる通常暖房運転と、通常暖房運転に蓄熱槽ＳＴＲを加えた併用暖房運転とに分けることができる。
【００１０】
これらの運転パタ−ンは、室内負荷や夜間蓄熱運転で蓄熱槽ＳＴＲ内に蓄えられた蓄熱量の大きさに応じて使い分ける。例えば、早朝など室内負荷が大きい時には併用暖房運転を行うことにより負荷に対応でき、室内負荷が小さい場合や蓄熱槽ＳＴＲ内の蓄熱量か無くなった場合に、通常暖房運転へ切り替える。
【００１１】
これらの運転パタ−ンにおける冷凍サイクルの作用について、以下説明する。また、第２切替弁ＫＶ２については利用側冷凍サイクル内にて冷媒対冷媒熱交換器ＨＥＸと利用側熱交換器１４ａ，１４ｂとを連通する設定を第２ＨＥＸ回路、冷媒対冷媒熱交換器ＨＥＸと蓄熱槽ＨＥＸと利用側熱交換器１４ａ，１４ｂとを連通する設定を第２（ＨＥＸ＋ＳＴＲ）回路と定義する。
【００１２】
Ｂ−１）通常暖房運転
熱源側冷凍サイクルは、四方弁３を暖房モ−ド、膨張弁５を所定の開度、第１切替弁ＫＶ１を第１ＨＥＸ回路とする。この時、圧縮機２から送られる高温高圧の冷媒は、冷媒対冷媒熱交換器ＨＥＸの第１補助熱交換器７ａにて凝縮し、膨張弁５で減圧されて液あるいは二相状態となり、室外側熱交換器４にて蒸発し、圧縮機２へ戻る。
【００１３】
利用側冷凍サイクルは、第２切替弁ＫＶ２を第２ＨＥＸ回路とする。冷媒タンク１１から液冷媒は、冷媒搬送ポンプＰＭによって冷媒対冷媒熱交換器ＨＥＸの第２補助熱交換器７ｂに搬送される。ここで冷媒対冷媒熱交換器ＨＥＸの第１補助熱交換器７ａにより加熱されることで蒸発してガス冷媒となり第２切替弁ＫＶ２へ向かう。
【００１４】
第２切替弁ＫＶ２から流出したガス冷媒は、利用側熱交換器１４ａ，１４ｂへ送られる。この時、室内空気へ放熱凝縮することで暖房を行う。また、凝縮した液冷媒は冷媒タンク１１に再び送られる。この様なサイクルにより暖房運転を行う。
【００１５】
Ｂ−２）併用暖房運転
Ｂ−１の通常暖房運転に蓄熱槽ＳＴＲの放熱用熱交換器８ｂを加えた運転である。熱源側冷凍サイクルは、Ｂ−１の通常暖房運転時と同じであるので省略し、利用側冷凍サイクルについて説明する。
【００１６】
利用側冷凍サイクルは、第２切替弁ＫＶ２を第２（ＨＥＸ＋ＳＴＲ）回路とする。冷媒タンク１１から液冷媒は、冷媒搬送ポンプＰＭによって冷媒対冷媒熱交換器ＨＥＸの第２補助熱交換器７ｂに搬送される。ここで冷媒対冷媒熱交換器ＨＥＸの第１補助熱交換器７ａにより加熱されることで蒸発してガス冷媒となり第２切替弁ＫＶ２へ流入する。第２切替弁ＫＶ２の弁開度は、蓄熱槽ＳＴＲと冷媒対冷媒熱交換器ＨＥＸの能力に合わせて調整されている。第２切替弁ＫＶ２から流出したガス冷媒は、利用側熱交換器１４ａ，１４ｂへ送られる。
【００１７】
この時、室内空気から放熱凝縮して暖房を行う。凝縮した液冷媒は冷媒タンク１１に再び送られる。この様なサイクルにより暖房運転を行う。
【００１８】
この場合、室内への暖房能力は、熱源側冷凍サイクルの能力と、蓄熱槽ＳＴＲの放熱用熱交換器８ｂでの放熱能力との和となり、暖房能力が増大する。
【００１９】
これら通常暖房運転や併用暖房運転は、室内負荷や夜間蓄熱運転で蓄熱槽ＳＴＲ内に蓄えられた蓄熱量の大きさに応じて使い分ける。例えば、極寒期における早朝の室内負荷が大きい時には併用暖房運転とし、日中の室内負荷が小さい時や蓄熱槽ＳＴＲ内の蓄熱量が無くなった場合には通常暖房運転に切り替えることで、必要負荷に対応できる。
【００２０】
以上のように、夜間の余剰電力エネルギーを熱に変換して蓄熱しておき、昼間にその電力を利用することにより、熱源機の設備容量を低減でき、かつ電力利用の平準化が図れる。
【００２１】
【発明が解決しようとする課題】
しかしながら、前述の従来例では、併用暖房運転から通常暖房運転に切り替えた時の利用側冷凍サイクルにて、蓄熱槽ＳＴＲの放熱用熱交換器８ｂ内への冷媒の溜まり込みや蓄熱槽ＳＴＲの放熱用熱交換器８ｂから冷媒対冷媒熱交換器ＨＥＸの第２補助熱交換器７ｂに冷媒が過剰に流入するため、通常暖房運転の利用側冷凍サイクル（即ち第２ＨＥＸ回路）の冷媒量が適正値よりも不足若しくは過多となる。
【００２２】
そして第２ＨＥＸ回路中の冷媒量が適正値よりも不足の場合には、冷媒搬送ポンプＰＭ吸入部冷媒の過冷却度が得られず二相冷媒となり冷媒搬送ポンプＰＭの寿命が短縮することや、過多の場合には利用側冷凍サイクルにおける冷媒対冷媒熱交換器ＨＥＸの第２補助熱交換器７ｂ内の液分が増し熱交換器として十分効果を発揮できないため暖房能力が著しく低下し、かつ熱源側冷凍サイクルから利用側冷凍サイクルへの熱交換ができなくなるため圧縮機吐出圧力が過昇し圧縮機２が機体保護で停止するなどシステムが正常な運転が出来ないという欠点を有していた。
【００２３】
そこで、本発明は上記欠点を鑑み、通常暖房運転の利用側冷凍サイクルの冷媒量を適正量に調整し得る蓄熱式空気調和機を提供することを目的とするものである。
【００２４】
【課題を解決するための手段】
上記目的を達成するために本発明の蓄熱式空気調和機は、圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、前記放熱用熱交換器を使用しない暖房運転モ−ドであることを検知する運転モ−ド検知手段と、暖房運転時の前記第２補助熱交換器出口の冷媒過熱度とその保持時間を検知する冷媒過熱度検知手段と、前記第２補助熱交換器内圧力と前記放熱用熱交換器内圧力の圧力差を検知する圧力検知手段と、前記運転モ−ド検知手段と前記冷媒過熱度検知手段と前記圧力検知手段とにより得られた情報に基づいて前記第２流量弁、及び前記室内ファン、及び前記圧縮機を駆動するよう演算処理を行う第１演算処理手段とから構成された第１制御装置とを有し、前記第１演算処理手段は、前記運転モ−ド検知手段によって前記放熱用熱交換器を使用しない暖房運転モ−ドであると検知したとき、前記冷媒過熱度検知手段によって検知された前記冷媒過熱度、及びその保持時間が第１の所定値以下かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過熱度、及びその保持時間が第１の所定値より大かつ所定時間以上継続するまで前記第２流量弁を所定開度まで開き、前記冷媒過熱度、及びその保持時間が第１の所定値より大きい第２の所定値以上かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過熱度、及びその保持時間が第２の所定値より小かつ所定時間以上継続するまで前記第２流量弁を所定開度まで開くのである。
【００２５】
また、前記放熱用熱交換器を使用しない暖房運転モ−ドであることを検知する運転モ−ド検知手段と、暖房運転時の前記冷媒搬送ポンプ入口の冷媒過冷却度とその保持時間を検知する冷媒過冷却度検知手段と、前記第２補助熱交換器内圧力と前記放熱用熱交換器内圧力の圧力差を検知する圧力検知手段と、前記運転モ−ド検知手段と前記冷媒過冷却度検知手段と前記圧力検知手段とにより得られた情報に基づいて前記第２流量弁、及び前記室内ファン、及び前記圧縮機を駆動するよう演算処理を行う第２演算処理手段とから構成された第２制御装置とを有し、前記第２演算処理手段は、前記運転モ−ド検知手段によって前記放熱用熱交換器を使用しない暖房運転モ−ドであると検知したとき、前記冷媒過冷却度検知手段によって検知された前記冷媒過冷却度、及びその保持時間が第３の所定値以上かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過冷却度、及びその保持時間が第３の所定値より小さい第４の所定値以下かつ所定時間以上継続するまで前記第２流量弁を所定開度まで開き、前記冷媒過冷却度、及びその保持時間が第４の所定値より小さい第５の所定値以下かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過冷却度、及びその保持時間が第５の所定値より大きく第４の所定値より小さい第６の所定値以上かつ所定時間以上継続するまで前記第２流量弁を所定開度まで開くのである。
【００２６】
【作用】
放熱用熱交換器を使用しない暖房運転モ−ドで、運転回路中の冷媒量が適正量よりも過多であるとき、第２補助熱交換器出口の冷媒過熱度が小さくなり、運転回路中の冷媒量が適正量よりも過小であるとき、第２補助熱交換器出口の冷媒過熱度が大きくなる。
【００２７】
そこで、本発明の蓄熱式空気調和機は、運転モ−ド検知手段によって放熱用熱交換器を使用しない暖房運転モ−ドであると検知したとき、冷媒過熱度検知手段によって検知された第２補助熱交換器出口の冷媒過熱度、及びその保持時間が第１の所定値以下かつ所定時間以上継続するとき、運転回路中の冷媒量が適正量よりも過多であると判断し、圧力検知手段によって検知された第２補助熱交換器内圧力が放熱用熱交換器内圧力以下の場合には、第２補助熱交換器内圧力が放熱用熱交換器内圧力より高くなるまで室内ファンを停止し、第２補助熱交換器内圧力が放熱用熱交換器内圧力より高い場合には、冷媒過熱度、及びその保持時間が第１の所定値より大かつ所定時間以上継続するまで第２流量弁を所定開度まで開き、利用側冷凍サイクルにおける運転回路中の余剰冷媒を放熱用熱交換器内にため込む。
【００２８】
また、第２補助熱交換器出口の冷媒過熱度、及びその保持時間が第１の所定値より大きい第２の所定値以上かつ所定時間以上継続するとき、運転回路中の冷媒量が適正量よりも過小であると判断し、第２補助熱交換器内圧力が放熱用熱交換器内圧力以上の場合には、第２補助熱交換器内圧力が放熱用熱交換器内圧力より低くなるまで圧縮機を停止し、第２補助熱交換器内圧力が放熱用熱交換器内圧力より低い場合には、冷媒過熱度、及びその保持時間が第２の所定値より小かつ所定時間以上継続するまで第２流量弁を所定開度まで開き、利用側冷凍サイクルにおける運転回路中の冷媒の不足分を放熱用熱交換器内にたまっていた冷媒から補充する。
【００２９】
このようにして、通常暖房運転の利用側冷凍サイクルの冷媒量を適正量に調整できる。
【００３０】
また、放熱用熱交換器を使用しない暖房運転モ−ドで、運転回路中の冷媒量が適正量よりも過多であるとき、冷媒搬送ポンプ入口の冷媒過冷却度が大きくなり、運転回路中の冷媒量が適正量よりも過小であるとき、冷媒搬送ポンプ入口の冷媒過冷却度が小さくなる。
【００３１】
そこで、他の本発明の蓄熱式空気調和機は、運転モ−ド検知手段によって放熱用熱交換器を使用しない暖房運転モ−ドであると検知したとき、冷媒過冷却度検知手段によって検知された冷媒搬送ポンプ入口の冷媒過冷却度、及びその保持時間が第３の所定値以上かつ所定時間以上継続するとき、運転回路中の冷媒量が適正量よりも過多であると判断し、圧力検知手段によって検知された第２補助熱交換器内圧力が放熱用熱交換器内圧力以下の場合には、第２補助熱交換器内圧力が放熱用熱交換器内圧力より高くなるまで室内ファンを停止し、第２補助熱交換器内圧力が放熱用熱交換器内圧力より高い場合には、冷媒過冷却度、及びその保持時間が第３の所定値より小さい第４の所定値以下かつ所定時間以上継続するまで第２流量弁を所定開度まで開き、利用側冷凍サイクルにおける運転回路中の余剰冷媒を放熱用熱交換器内にため込む。
【００３２】
また、冷媒搬送ポンプ入口の冷媒過冷却度、及びその保持時間が第４の所定値より小さい第５の所定値以下かつ所定時間以上継続するとき、運転回路中の冷媒量が適正量よりも過小であると判断し、第２補助熱交換器内圧力が放熱用熱交換器内圧力以上の場合には、第２補助熱交換器内圧力が放熱用熱交換器内圧力より低くなるまで圧縮機を停止し、第２補助熱交換器内圧力が放熱用熱交換器内圧力より低い場合には、冷媒過冷却度、及びその保持時間が第５の所定値より大きく第４の所定値より小さい第６の所定値以上かつ所定時間以上継続するまで第２流量弁を所定開度まで開き、利用側冷凍サイクルにおける運転回路中の冷媒の不足分を放熱用熱交換器内にたまっていた冷媒から補充する。
【００３３】
このようにして、通常暖房運転の利用側冷凍サイクルの冷媒量を適正量に調整できる。
【００３４】
【実施例】
以下、本発明の実施例を添付図面に基づいて説明を行うが、従来と同一構成については同一符号を付し、その詳細な説明を省略する。
【００３５】
図１は本発明の第１の実施例の冷凍サイクル図である。
本実施例の蓄熱式空気調和機は、室外ユニット１’と、蓄熱槽ＳＴＲと、ポンプユニットＰＵと、室内ユニット１３ａ，１３ｂとから構成されている。
【００３６】
室外ユニット１’は、圧縮機２、第１四方弁３ａ、熱源側熱交換器４、第１膨張弁５ａ、第２膨張弁５ｂ、第１補助熱交換器７ａと第２補助熱交換器７ｂとからなる冷媒対冷媒熱交換器ＨＥＸ、第２補助熱交換器７ｂ用の第１流量弁ＲＶ１、蓄熱槽ＳＴＲの放熱用熱交換器８ｂ用の第２流量弁ＲＶ２、二方弁ＮＶから構成されている。
【００３７】
蓄熱槽ＳＴＲは、蓄熱材である水９、蓄熱用熱交換器８ａ、放熱用熱交換器８ｂからなる。ポンプユニットＰＵは、冷媒タンク１１、冷媒搬送ポンプＰＭ、及び第２四方弁３ｂとからなる。室内ユニット１３ａ，１３ｂは、利用側交換器１４ａ，１４ｂ、室内流量弁１５ａ，１５ｂ、及び室内ファン１６ａ，１６ｂとから構成されている。
【００３８】
また、熱源側冷凍サイクルは、圧縮機２、第１四方弁３ａ、熱源側熱交換器４、第１膨張弁５ａ、冷媒対冷媒熱交換器ＨＥＸの第１補助熱交換器７ａを順次環状に接続し、第２膨張弁５ｂと蓄熱槽ＳＴＲの蓄熱用熱交換器８ａとの直列接続回路を、第１膨張弁５ａと冷媒対冷媒熱交換ＨＥＸ器の第１補助熱交換器７ａとの直列接続回路に並列に接続してなる。
【００３９】
また、利用側冷凍サイクルは、冷媒搬送ポンプＰＭと第２四方弁３ｂと冷媒タンク１１とからなるポンプユニットＰＵ、室内流量弁１５ａ，１５ｂ、利用側熱交換器１４ａ，１４ｂ、第２補助熱交換器７ｂ、第１流量弁ＲＶ１を順次環状に接続し、二方弁ＮＶ（好ましくは電磁弁）と放熱用熱交換器８ｂと第２流量弁ＲＶ２との直列接続回路を、第２補助熱交換器７ｂと第１流量弁ＲＶ１との直列接続回路に並列に接続してなる。
【００４０】
また、放熱用熱交換器８ｂを使用しない暖房運転モ−ドであることを検知する運転モ−ド検知手段１９と、暖房運転時の第２補助熱交換器７ｂ出口の冷媒過熱度とその保持時間を検知する冷媒過熱度検知手段２０と、第２補助熱交換器内７ｂ圧力と放熱用熱交換器８ｂ内圧力の圧力差を検知する圧力検知手段２１と、運転モ−ド検知手段１９、冷媒過熱度検知手段２０、及び圧力検知手段２１により得られた情報に基づいて、第２流量弁ＲＶ２、室内ファン１６ａ，１６ｂ、及び圧縮機２を駆動するよう演算処理を行う第１演算処理手段２２とから構成された第１制御装置ＣＮ１を備えている。
【００４１】
ここで、暖房運転モ−ドでの第２補助熱交換器７ｂの出口部に設けた圧力センサ１７とサ−ミスタ１８は、冷媒過熱度検知手段２０の一具体例として示している。言うまでもないが、圧力センサ１７から検出された圧力から求めた冷媒飽和温度に対し、サ−ミスタ１８から検出した冷媒温度との差温を冷媒過熱度としている。
【００４２】
また、圧力検知手段２１の一具体例として、利用側冷凍サイクルの蓄熱槽ＳＴＲ内に設けた圧力センサ１０と第２補助熱交換器７ｂの出口部の圧力センサ１７との出力差から圧力差を検出している。
【００４３】
従来例に説明した時と同様に、利用側冷凍サイクル内にて冷媒対冷媒熱交換器ＨＥＸと利用側熱交換器１４ａ，１４ｂとを連通する設定を第２ＨＥＸ回路、冷媒対冷媒熱交換器ＨＥＸと蓄熱槽ＳＴＲと利用側熱交換器１４ａ，１４ｂとを連通する設定を第２（ＨＥＸ＋ＳＴＲ）回路と定義する。
【００４４】
次に、この第１の実施例の構成における作用を説明する。但し、第１制御装置ＣＮ１の作用以外は従来例と同一作用であることから、各運転パタ−ンの作用については説明を省略する。そして、従来例と異なる第１制御装置ＣＮ１の作用について、図３のフローチャートを用いて説明する。
【００４５】
ＳＴＥＰ１は、運転モ−ド検知手段１９によって、昼間の暖房運転であるかどうかを検知し、昼間の暖房運転であればＳＴＥＰ２に移行し、それ以外はル−チンから抜ける。
【００４６】
ＳＴＥＰ２は、運転モ−ド検知手段１９によって、運転回路が第２ＨＥＸ回路かどうかを検知し、第２ＨＥＸ回路であればＳＴＥＰ３に移行し、それ以外はル−チンから抜ける。
【００４７】
ＳＴＥＰ３は、冷媒過熱度検知手段２０により検知された第２補助熱交換器７ｂ出口の冷媒過熱度ＳＨ（ＨＥＸ）が予め決められた所定値Ａ１以上（例えば過熱度ＳＨ（ＨＥＸ）≧５Ｋ）かつ所定時間Ｔ１（例えば５分）以上継続するとき、第１演算処理手段２２によって第２ＨＥＸ回路中の冷媒量が適正値よりも不足であると判断してＳＴＥＰ４へ移行し、それ以外はＳＴＥＰ５へ移行する。
【００４８】
ＳＴＥＰ４では、圧力検知手段２１によって検知された放熱用熱交換器８ｂ内圧力Ｐ（ＳＴＲ）が第２補助熱交換器７ｂ内圧力Ｐ（ＨＥＸ）より高い場合であればＳＴＥＰ６へ移行し、それ以外はＳＴＥＰ７へ移行する。
【００４９】
ＳＴＥＰ６では、第２流量弁ＲＶ２の開度が予め決められた所定上限開度Ｘ１（例えば１０００パルス）以下ならばＳＴＥＰ８へ移行し、それ以外はＳＴＥＰ９へ移行する。
【００５０】
ＳＴＥＰ７では、熱源側冷凍サイクルから利用側冷凍サイクルへの熱の供給を停止し第２補助熱交換器７ｂ内圧力Ｐ（ＨＥＸ）を強制的に低下させることを狙って、圧縮機２を停止し、再びＳＴＥＰ４に移行する。
【００５１】
ＳＴＥＰ８では、第２流量弁ＲＶ２を所定値ｙ１（例えば１００パルス）開けることによって、放熱用熱交換器８ｂ内圧力Ｐ（ＳＴＲ）と第２補助熱交換器７ｂ内圧力Ｐ（ＨＥＸ）の圧力差により放熱用熱交換器７ｂ内の冷媒を第２ＨＥＸ回路に補充し、ＳＴＥＰ９に移行する。
【００５２】
ＳＴＥＰ９は、冷媒過熱度検知手段２０により検知された第２補助熱交換器７ｂ出口の冷媒過熱度ＳＨ（ＨＥＸ）が予め決められた所定値Ａ２未満（例えば過熱度ＳＨ（ＨＥＸ）＜５Ｋ）かつ所定時間Ｔ２（例えば３分）以上継続するとき、第１演算処理手段２２によって第２ＨＥＸ回路中の冷媒量が適正値に達したと判断されＳＴＥＰ１０へ移行し、それ以外は再びＳＴＥＰ４へ移行する。
【００５３】
ＳＴＥＰ１０では、強制的に停止させていた圧縮機２を、再起動させ、ＳＴＥＰ１１に移行する。
【００５４】
ＳＴＥＰ１１では、第２流量弁ＲＶ２を全閉にして、ル−チンから抜ける。
一方、ＳＴＥＰ５では、冷媒過熱度検知手段２０により検知された第２補助熱交換器７ｂ出口の冷媒過熱度ＳＨ（ＨＥＸ）が予め決められた所定値Ａ３以下（例えば過熱度ＳＨ（ＨＥＸ）≦１Ｋ）かつ所定時間Ｔ３（例えば５分）以上継続するとき、第１演算処理手段２２によって第２ＨＥＸ回路中の冷媒量が適正値よりも過多であると判断してＳＴＥＰ１２へ移行し、それ以外は第２ＨＥＸ回路中の冷媒量が適正値であると判断し、ル−チンから抜ける。
【００５５】
ＳＴＥＰ１２では、圧力検知手段２１によって検知された放熱用熱交換器８ｂ内圧力Ｐ（ＳＴＲ）が第２補助熱交換器７ｂ内圧力Ｐ（ＨＥＸ）より高い場合であればＳＴＥＰ１３へ移行し、それ以外はＳＴＥＰ１４へ移行する。
【００５６】
ＳＴＥＰ１３では、第２流量弁ＲＶ２の開度が予め決められた所定上限開度Ｘ２（例えば１０００パルス）以下ならばＳＴＥＰ１６へ移行し、それ以外はＳＴＥＰ１５へ移行する。
【００５７】
ＳＴＥＰ１４では、第２補助熱交換器７ｂ内圧力Ｐ（ＨＥＸ）を強制的に上昇させることを狙って室内ファン１６ａ，１６ｂを停止し、再びＳＴＥＰ１２に移行する。
【００５８】
ＳＴＥＰ１５では、第２流量弁ＲＶ２を所定値ｙ２（例えば１００パルス）開けることによって、放熱用熱交換器８ｂ内圧力Ｐ（ＳＴＲ）と第２補助熱交換器７ｂ内圧力Ｐ（ＨＥＸ）の圧力差により、第２ＨＥＸ回路中の余剰冷媒を放熱用熱交換器８ｂ内にため込み、ＳＴＥＰ１６に移行する。
【００５９】
ＳＴＥＰ１６は、冷媒過熱度検知手段２０により検知された第２補助熱交換器７ｂ出口の冷媒過熱度ＳＨ（ＨＥＸ）が予め決められた所定値Ａ４より大（例えば過熱度ＳＨ（ＨＥＸ）＞１Ｋ）かつ所定時間Ｔ４（例えば３分）以上継続するとき、第１演算処理手段２２によって第２ＨＥＸ回路中の冷媒量が適正値に達したと判断されＳＴＥＰ１７へ移行し、それ以外は再びＳＴＥＰ１２へ移行する。
【００６０】
ＳＴＥＰ１７では、強制的に停止させていた室内ファン１６ａ，１６ｂを、暖房運転要求に応じて再起動させ、ＳＴＥＰ１８に移行する。
【００６１】
ＳＴＥＰ１８では、第２流量弁ＲＶ２を全閉にして、ル−チンから抜ける。
この様にして、ＳＴＥＰ１からＳＴＥＰ１８のルーチンを、暖房運転中繰り返す。
【００６２】
以上の様に、上記実施例では蓄熱式空気調和機において、運転モ−ド検知手段１９によって検知された放熱用熱交換器８ｂを使用しない暖房運転、即ち第２ＨＥＸ回路での運転において、冷媒過熱度検知手段２０によって検知された冷媒過熱度ＳＨ（ＨＥＸ）、及びその保持時間が所定値Ａ１以下かつ所定時間Ｔ１以上継続するとき、運転回路中の冷媒量が適正量よりも過多であると判断する。
【００６３】
この時、圧力検知手段２１によって第２補助熱交換器７ｂ内圧力Ｐ（ＨＥＸ）が放熱用熱交換器８ｂ内圧力Ｐ（ＳＴＲ）より高いと検知した場合には、第１演算処理手段２２によって、冷媒過熱度ＳＨ（ＨＥＸ）、及びその保持時間が所定値Ａ２以上かつ所定時間Ｔ２以上継続するまで第２流量弁ＲＶ２を所定上限開度Ｘ１を上限に所定開度ｙ１づつ開く。
【００６４】
また、圧力検知手段２１によって第２補助熱交換器７ｂ内圧力Ｐ（ＨＥＸ）が放熱用熱交換器８ｂ内圧力Ｐ（ＳＴＲ）より低いと検知した場合には、第１演算処理手段２２によって、第２補助熱交換器７ｂ内圧力Ｐ（ＨＥＸ）が放熱用熱交換器８ｂ内圧力Ｐ（ＳＴＲ）より高くなるまで室内ファン１６ａ，１６ｂを停止し、冷媒過熱度ＳＨ（ＨＥＸ）、及びその保持時間が所定値Ａ２以上かつ所定時間Ｔ２以上継続するまで第２流量弁ＲＶ２を所定上限開度Ｘ１を上限に所定開度ｙ１づつ開く。
【００６５】
以上の操作により、第２ＨＥＸ回路中の余剰冷媒を前記放熱用熱交換器８ｂ内にため込むことができる。
【００６６】
一方、冷媒過熱度検知手段２０によって検知された冷媒過熱度ＳＨ（ＨＥＸ）、及びその保持時間が所定値Ａ３以上かつ所定時間Ｔ１以上継続するとき、運転回路中の冷媒量が適正量よりも過小であると判断する。
【００６７】
この時、圧力検知手段２１によって第２補助熱交換器７ｂ内圧力Ｐ（ＨＥＸ）が放熱用熱交換器８ｂ内圧力Ｐ（ＳＴＲ）より低いと検知した場合には、第１演算処理手段２２によって、冷媒過熱度ＳＨ（ＨＥＸ）が所定値Ａ４以下かつ所定時間Ｔ４以上継続するまで第２流量弁ＲＶ２を所定上限開度Ｘ２を上限に所定開度ｙ２づつ開く。
【００６８】
また、圧力検知手段２１によって第２補助熱交換器７ｂ内圧力Ｐ（ＨＥＸ）が放熱用熱交換器８ｂ内圧力Ｐ（ＳＴＲ）より高いと検知した場合には、第１演算処理手段２２によって、第２補助熱交換器７ｂ内圧力Ｐ（ＨＥＸ）が放熱用熱交換器８ｂ内圧力Ｐ（ＳＴＲ）より低くなるまで圧縮機２を停止し、冷媒過熱度ＳＨ（ＨＥＸ）が所定値Ａ４以下かつ所定時間Ｔ４以上継続するまで第２流量弁ＲＶを所定上限開度Ｘ２を上限に所定開度ｙ２づつ開く。
【００６９】
以上の操作により、放熱用熱交換器８ｂから第２補助熱交換器７ｂへ冷媒を流入させることができる。
【００７０】
従って、放熱用熱交換器８ｂ内への冷媒の溜まり込みや放熱用熱交換器８ｂから第２補助熱交換器７ｂ側へ冷媒が過剰に流入することなく、第２ＨＥＸ回路の冷媒量を適正量に制御できるので、冷媒搬送ポンプＰＭの吸入部の冷媒過冷却度を保持し冷媒搬送ポンプＰＭの信頼性の確保と暖房能力の低下防止を可能にでき、且つ熱源側冷凍サイクルから利用側冷凍サイクルへの熱交換もスム−ズにできるため圧縮機２の吐出圧力過昇を防止することができる。
【００７１】
なお、第１演算処理手段２２で駆動する第２流量弁ＲＶ２の代わりに２方弁ＮＶ用い、若しくは第２流量弁ＲＶ２と２方弁ＮＶを併用しても、本実施例と同様の効果が得られることは言うまでもない。
【００７２】
また、第２の実施例を添付図面に基づいて説明を行うが、第１の実施例と同一構成については同一符号を付し、その詳細な説明を省略する。
【００７３】
図２は本発明の第２の実施例における冷凍サイクル図である。
本実施例の蓄熱式空気調和機は、複数の室外ユニット１’と、複数の蓄熱槽ＳＴＲと、ポンプユニットＰＵと、複数の室内ユニット１３ａ，１３ｂとから構成されている。
【００７４】
第２制御装置ＣＮ２は、第１の実施例における第１制御装置ＣＮ１の冷媒過熱度検知手段２０の代わりに、冷媒搬送ポンプＰＭ入口部の冷媒過冷却度ＳＣ（Ｐｓ）とその保持時間を検知する冷媒過冷却度検知手段２７と、第１演算処理手段２２の代わりに、冷媒過冷却度検知手段２７、及び圧力検知手段２１により得られた情報に基づいて第２流量弁ＲＶ２、室内ファン１６ａ，１６ｂ、圧縮機２を駆動するよう演算処理を行う第２演算処理手段２８とを備えたものである。
【００７５】
ここで、暖房運転モ−ドでの冷媒搬送ポンプＰＭ入口部に設けた圧力センサ２５とサ−ミスタ２６は、冷媒過冷却度検知手段２７の一具体例として示している。
【００７６】
次に、この第２の実施例の構成における作用を説明する。但し、本実施例はポンプユニットＰＵと第２制御装置ＣＮ２を除いて、第１の実施例を単純に複数にしたものと解釈でき、第２制御装置ＣＮ２の作用以外は第１の実施例と同一作用であることから、各運転パタ−ンの作用については説明を省略する。そして、第１の実施例と異なる第２制御装置ＣＮ２の作用について、図６のフローチャートを用いて説明する。
【００７７】
ＳＴＥＰ１は、運転モ−ド検知手段１９によって、昼間の暖房運転であるかどうかを検知し、昼間の暖房運転であればＳＴＥＰ２に移行し、それ以外はル−チンから抜ける。
【００７８】
ＳＴＥＰ２は、運転モ−ド検知手段１９によって、運転回路が第２ＨＥＸ回路かどうかを検知し、第２ＨＥＸ回路であればＳＴＥＰ３に移行し、それ以外はル−チンから抜ける。
【００７９】
ＳＴＥＰ３は、冷媒過冷却度検知手段２７により検知された冷媒搬送ポンプＰＭ吸入部の冷媒過冷却度ＳＣ（Ｐｓ）が予め決められた所定値Ａ５以下（例えば過冷却度ＳＣ（Ｐｓ）≦１Ｋ）かつ所定時間Ｔ５（例えば５分）以上継続するとき、第２演算処理手段２８によって第２ＨＥＸ回路中の冷媒量が適正値よりも不足であると判断してＳＴＥＰ４へ移行し、それ以外はＳＴＥＰ５へ移行する。
【００８０】
ＳＴＥＰ４では、圧力検知手段２１によって検知された放熱用熱交換器８ｂ内圧力Ｐ（ＳＴＲ）が第２補助熱交換器７ｂ内圧力Ｐ（ＨＥＸ）より高い場合であればＳＴＥＰ６へ移行し、それ以外はＳＴＥＰ７へ移行する。
【００８１】
ＳＴＥＰ６では、第２流量弁ＲＶ２の開度が予め決められた所定上限開度Ｘ１（例えば１０００パルス）以下ならばＳＴＥＰ８へ移行し、それ以外はＳＴＥＰ９へ移行する。
【００８２】
ＳＴＥＰ７では、熱源側冷凍サイクルから利用側冷凍サイクルへの熱の供給を停止し第２補助熱交換器７ｂ内圧力Ｐ（ＨＥＸ）を強制的に低下させることを狙って、圧縮機２を停止し、再びＳＴＥＰ４に移行する。
【００８３】
ＳＴＥＰ８では、第２流量弁ＲＶ２を所定値ｙ１（例えば１００パルス）開けることによって、放熱用熱交換器８ｂ内圧力Ｐ（ＳＴＲ）と第２補助熱交換器７ｂ内圧力Ｐ（ＨＥＸ）の圧力差により放熱用熱交換器７ｂ内の冷媒を第２ＨＥＸ回路に補充し、ＳＴＥＰ９に移行する。
【００８４】
ＳＴＥＰ９は、冷媒過冷却度検知手段２７により検知された冷媒搬送ポンプＰＭ吸入部の冷媒過冷却度ＳＣ（Ｐｓ）が予め決められた所定値Ａ６以上（例えば過冷却度ＳＣ（Ｐｓ）≧２Ｋ）かつ所定時間Ｔ６（例えば３分）以上継続するとき、第２演算処理手段２８によって第２ＨＥＸ回路中の冷媒量が適正値に達したと判断されＳＴＥＰ１０へ移行し、それ以外は再びＳＴＥＰ４へ移行する。
【００８５】
ＳＴＥＰ１０では、強制的に停止させていた圧縮機２を、再起動させ、ＳＴＥＰ１１に移行する。
【００８６】
ＳＴＥＰ１１では、第２流量弁ＲＶ２を全閉にして、ル−チンから抜ける。
一方、ＳＴＥＰ５では、冷媒過冷却度検知手段２７により検知された冷媒搬送ポンプＰＭ吸入部の冷媒過冷却度ＳＣ（Ｐｓ）が予め決められた所定値Ａ７以上（例えば過冷却度ＳＣ（Ｐｓ）≧５Ｋ）かつ所定時間Ｔ７（例えば５分）以上継続するとき、第２演算処理手段２８によって第２ＨＥＸ回路中の冷媒量が適正値よりも過多であると判断してＳＴＥＰ１２へ移行し、それ以外は第２ＨＥＸ回路中の冷媒量が適正値であると判断し、ル−チンから抜ける。
【００８７】
ＳＴＥＰ１２では、圧力検知手段２１によって検知された放熱用熱交換器８ｂ内圧力Ｐ（ＳＴＲ）が第２補助熱交換器７ｂ内圧力Ｐ（ＨＥＸ）より高い場合であればＳＴＥＰ１３へ移行し、それ以外はＳＴＥＰ１４へ移行する。
【００８８】
ＳＴＥＰ１３では、第２流量弁ＲＶ２の開度が予め決められた所定上限開度Ｘ２（例えば１０００パルス）以下ならばＳＴＥＰ１６へ移行し、それ以外はＳＴＥＰ１５へ移行する。
【００８９】
ＳＴＥＰ１４では、第２補助熱交換器７ｂ内圧力Ｐ（ＨＥＸ）を強制的に上昇させることを狙って室内ファン１６ａ，１６ｂを停止し、再びＳＴＥＰ１２に移行する。
【００９０】
ＳＴＥＰ１５では、第２流量弁ＲＶ２を所定値ｙ２（例えば１００パルス）開けることによって、放熱用熱交換器８ｂ内圧力Ｐ（ＳＴＲ）と第２補助熱交換器７ｂ内圧力Ｐ（ＨＥＸ）の圧力差により、第２ＨＥＸ回路中の余剰冷媒を放熱用熱交換器８ｂ内にため込み、ＳＴＥＰ１６に移行する。
【００９１】
ＳＴＥＰ１６は、冷媒過冷却度検知手段２７により検知された冷媒搬送ポンプＰＭ吸入部の冷媒過冷却度ＳＣ（Ｐｓ）が予め決められた所定値Ａ８以下（例えば過冷却度ＳＣ（Ｐｓ）≦３Ｋ）かつ所定時間Ｔ８（例えば３分）以上継続するとき、第２演算処理手段２８によって第２ＨＥＸ回路中の冷媒量が適正値に達したと判断されＳＴＥＰ１７へ移行し、それ以外は再びＳＴＥＰ１２へ移行する。
【００９２】
ＳＴＥＰ１７では、強制的に停止させていた室内ファン１６ａ，１６ｂを、暖房運転要求に応じて再起動させ、ＳＴＥＰ１８に移行する。
【００９３】
ＳＴＥＰ１８では、第２流量弁ＲＶ２を全閉にして、ル−チンから抜ける。
この様にして、ＳＴＥＰ１からＳＴＥＰ１８のルーチンを、暖房運転中繰り返す。
【００９４】
以上の様に、上記実施例では蓄熱式空気調和機において、運転モ−ド検知手段１９によって検知された放熱用熱交換器８ｂを使用しない暖房運転、即ち第２ＨＥＸ回路での運転において、冷媒過冷却度検知手段２７によって検知された冷媒搬送ポンプＰＭの吸入部の冷媒過冷却度ＳＣ（Ｐｓ）、及びその保持時間が所定値Ａ５以上かつ所定時間Ｔ５以上継続するとき、運転回路中の冷媒量が適正量よりも過多であると判断する。
【００９５】
この時、圧力検知手段２１によって第２補助熱交換器７ｂ内圧力Ｐ（ＨＥＸ）が放熱用熱交換器８ｂ内圧力Ｐ（ＳＴＲ）より高いと検知した場合には、第２演算処理手段２８によって、冷媒過冷却度ＳＣ（Ｐｓ）、及びその保持時間が所定値Ａ６以上かつ所定時間Ｔ６以上継続するまで第２流量弁ＲＶ２を所定上限開度Ｘ１を上限に所定開度ｙ１づつ開く。
【００９６】
また、圧力検知手段２１によって第２補助熱交換器７ｂ内圧力Ｐ（ＨＥＸ）が放熱用熱交換器８ｂ内圧力Ｐ（ＳＴＲ）より低いと検知した場合には、第２演算処理手段２８によって、第２補助熱交換器７ｂ内圧力Ｐ（ＨＥＸ）が放熱用熱交換器８ｂ内圧力Ｐ（ＳＴＲ）より高くなるまで室内ファン１６ａ，１６ｂを停止し、冷媒過冷却度ＳＣ（Ｐｓ）、及びその保持時間が所定値Ａ６以上かつ所定時間Ｔ６以上継続するまで第２流量弁ＲＶ２を所定上限開度Ｘ１を上限に所定開度ｙ１づつ開く。
【００９７】
以上の操作により、第２ＨＥＸ回路中の余剰冷媒を前記放熱用熱交換器８ｂ内にため込むことができる。
【００９８】
一方、冷媒過冷却度検知手段２７によって検知された冷媒過冷却度ＳＣ（Ｐｓ）、及びその保持時間が所定値Ａ７以上かつ所定時間Ｔ７以上継続するとき、運転回路中の冷媒量が適正量よりも過小であると判断する。
【００９９】
この時、圧力検知手段２１によって第２補助熱交換器７ｂ内圧力Ｐ（ＨＥＸ）が放熱用熱交換器８ｂ内圧力Ｐ（ＳＴＲ）より低いと検知した場合には、第２演算処理手段２８によって、冷媒過冷却度ＳＣ（Ｐｓ）が所定値Ａ８以下かつ所定時間Ｔ８以上継続するまで第２流量弁ＲＶ２を所定上限開度Ｘ２を上限に所定開度ｙ２づつ開く。
【０１００】
圧力検知手段２１によって第２補助熱交換器７ｂ内圧力Ｐ（ＨＥＸ）が放熱用熱交換器８ｂ内圧力Ｐ（ＳＴＲ）より高いと検知した場合には、第２演算処理手段２８によって、第２補助熱交換器７ｂ内圧力Ｐ（ＨＥＸ）が放熱用熱交換器８ｂ内圧力Ｐ（ＳＴＲ）より低くなるまで圧縮機２を停止し、冷媒過冷却度ＳＣ（Ｐｓ）が所定値Ａ８以下かつ所定時間Ｔ８以上継続するまで第２流量弁ＲＶ２を所定上限開度Ｘ２を上限に所定開度ｙ２づつ開く。
【０１０１】
以上の操作により、放熱用熱交換器８ｂから第２補助熱交換器７ｂへ冷媒を流入させることができる。
【０１０２】
従って、放熱用熱交換器８ｂ内への冷媒の溜まり込みや放熱用熱交換器８ｂから第２補助熱交換器７ｂ側へ冷媒が過剰に流入することなく、第２ＨＥＸ回路の冷媒量を適正量に制御できるので、冷媒搬送ポンプＰＭの吸入部の冷媒過冷却度ＳＣ（Ｐｓ）を保持し冷媒搬送ポンプＰＭの信頼性の確保と暖房能力の低下防止を可能にでき、且つ熱源側冷凍サイクルから利用側冷凍サイクルへの熱交換もスム−ズにできるため圧縮機２の吐出圧力過昇を防止することができる。
【０１０３】
さらに、本実施例では、システム容量が大きく冷媒対冷媒熱交換器ＨＥＸが複数台ある場合には、冷媒過熱度検知手段２０を用いる方法では冷媒過熱度ＳＨ（ＨＥＸ）の検知箇所も複数個必要になるのに対し、冷媒過熱度検知手段２０の代わりに冷媒搬送ポンプＰＭ吸入部の冷媒過冷却度ＳＣ（Ｐｓ）を検知する冷媒過冷却度検知手段２７を採用することで冷媒量の過不足の検知箇所が１箇所となるため、コストダウンも併せて効果となり得る。
【０１０４】
なお、第２演算処理手段２８で駆動する第２流量弁ＲＶ２の代わりに２方弁ＮＶ用い、若しくは第２流量弁ＲＶ２と２方弁ＮＶを併用しても、本実施例と同様の効果が得られることは言うまでもない。
【０１０５】
【発明の効果】
以上のように本発明は、圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、前記放熱用熱交換器を使用しない暖房運転モ−ドであることを検知する運転モ−ド検知手段と、暖房運転時の前記第２補助熱交換器出口の冷媒過熱度とその保持時間を検知する冷媒過熱度検知手段と、前記第２補助熱交換器内圧力と前記放熱用熱交換器内圧力の圧力差を検知する圧力検知手段と、前記運転モ−ド検知手段と前記冷媒過熱度検知手段と前記圧力検知手段とにより得られた情報に基づいて前記第２流量弁、及び前記室内ファン、及び前記圧縮機を駆動するよう演算処理を行う第１演算処理手段とから構成された第１制御装置とを有し、前記第１演算処理手段は、前記運転モ−ド検知手段によって前記放熱用熱交換器を使用しない暖房運転モ−ドであると検知したとき、前記冷媒過熱度検知手段によって検知された前記冷媒過熱度、及びその保持時間が第１の所定値以下かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過熱度、及びその保持時間が第１の所定値より大かつ所定時間以上継続するまで前記第２流量弁を所定開度まで開き、前記冷媒過熱度、及びその保持時間が第１の所定値より大きい第２の所定値以上かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過熱度、及びその保持時間が第２の所定値より小かつ所定時間以上継続するまで前記第２流量弁を所定開度まで開くのである。
【０１０６】
そのため、運転回路中の冷媒量が適正量よりも過大であるときは、利用側冷凍サイクルにおける運転回路中の余剰冷媒を放熱用熱交換器内にため込むことができ、運転回路中の冷媒量が適正量よりも過小であるときは、利用側冷凍サイクルにおける運転回路中の冷媒の不足分を放熱用熱交換器内にたまっていた冷媒から補充することができ、放熱用熱交換器内への冷媒の溜まり込みや放熱用熱交換器から第２補助熱交換器側へ冷媒が過剰に流入することなく、通常暖房運転の利用側冷凍サイクルの冷媒量を適正量に調整できるので、冷媒搬送ポンプ吸入部の冷媒過冷却度を保持し冷媒搬送ポンプの信頼性を確保でき、暖房能力の低下防止を可能でき、且つ熱源側冷凍サイクルから利用側冷凍サイクルへの熱交換もスム−ズにできるため圧縮機吐出圧力の過昇を防止することができるという効果がある。
【０１０７】
また、前記冷媒過熱度検知手段の代わりに、冷媒搬送ポンプ入口の冷媒過冷却度とその保持時間を検知する冷媒過冷却度検知手段と、第１演算処理手段の代わりに、運転モ−ド検知手段、冷媒過冷却度検知手段、及び圧力検知手段により得られた情報に基づいて第２流量弁、及び室内ファン、及び圧縮機を駆動するよう演算処理を行う第２演算処理手段とを備え、前記第２演算処理手段は、前記運転モ−ド検知手段によって前記放熱用熱交換器を使用しない暖房運転モ−ドであると検知したとき、前記冷媒過冷却度検知手段によって検知された前記冷媒過冷却度、及びその保持時間が第３の所定値以上かつ所定時間以上継続するとき、前記圧力検知手段によって検知された前記第２補助熱交換器内圧力が前記放熱用熱交換器内圧力以下の場合には、前記第２補助熱交換器内圧力が前記放熱用熱交換器内圧力より高くなるまで前記室内ファンを停止し、前記第２補助熱交換器内圧力が前記放熱用熱交換器内圧力より高い場合には、前記冷媒過冷却度、及びその保持時間が第３の所定値より小さい第４の所定値以下かつ所定時間以上継続するまで前記第２流量弁を所定開度まで開き、前記冷媒過冷却度、及びその保持時間が第４の所定値より小さい第５の所定値以下かつ所定時間以上継続するとき、前記第２補助熱交換器内圧力が前記放熱用熱交換器内圧力以上の場合には、前記第２補助熱交換器内圧力が前記放熱用熱交換器内圧力より低くなるまで前記圧縮機を停止し、前記第２補助熱交換器内圧力が前記放熱用熱交換器内圧力より低い場合には、前記冷媒過冷却度、及びその保持時間が第５の所定値より大きく第４の所定値より小さい第６の所定値以上かつ所定時間以上継続するまで前記第２流量弁を所定開度まで開くのである。
【０１０８】
そのため、運転回路中の冷媒量が適正量よりも過大であるときは、利用側冷凍サイクルにおける運転回路中の余剰冷媒を放熱用熱交換器内にため込むことができ、運転回路中の冷媒量が適正量よりも過小であるときは、利用側冷凍サイクルにおける運転回路中の冷媒の不足分を放熱用熱交換器内にたまっていた冷媒から補充することができ、放熱用熱交換器内への冷媒の溜まり込みや放熱用熱交換器から第２補助熱交換器側へ冷媒が過剰に流入することなく、通常暖房運転の利用側冷凍サイクルの冷媒量を適正量に調整できるので、冷媒搬送ポンプの信頼性確保と暖房能力の低下防止を可能とするという効果があるだけでなく、システム容量が大きく冷媒対冷媒熱交換器が複数台ある場合でも、冷媒量の過不足の検知箇所が１箇所となるため、コストダウンが図られるという効果がある。
【図面の簡単な説明】
【図１】本発明の第１の実施例による蓄熱式空気調和機の冷凍サイクル図
【図２】同実施例の蓄熱式空気調和機における第１制御装置のブロック図
【図３】同実施例の蓄熱式空気調和機の動作フローチャート
【図４】本発明の第２の実施例における蓄熱式空気調和機の冷凍サイクル図
【図５】同実施例の蓄熱式空気調和機における第２制御装置のブロック図
【図６】同実施例の蓄熱式空気調和機の動作フローチャート
【図７】従来例を示す蓄熱式空気調和機の冷凍サイクル図
【符号の説明】
２    圧縮機
３ａ  第１四方弁
３ｂ  第２四方弁
４    熱源側熱交換器
５ａ  第１膨張弁
５ｂ  第２膨張弁
７ａ  第１補助熱交換器
７ｂ  第２補助熱交換器
８ａ  蓄熱用熱交換器
８ｂ  放熱用熱交換器
９    蓄熱材
１１  冷媒タンク
１３ａ，１３ｂ  室内ユニット
１４ａ，１４ｂ  利用側熱交換器
１５ａ，１５ｂ  室内流量弁
１６ａ，１６ｂ  室内ファン
１９    運転モード検知手段
２０    冷媒過熱度検知手段
２１    圧力検知手段
２２    第１演算処理手段
２７    冷媒過冷却度検知手段
２８    第２演算処理手段
ＳＴＲ  蓄熱槽
ＨＥＸ  冷媒対冷媒熱交換器
ＰＭ    冷媒搬送ポンプ
ＰＵ        ポンプユニット
ＲＶ１  第１流量弁
ＲＶ２  第２流量弁
ＮＶ        二方弁
ＣＮ１    第１制御装置
ＣＮ２    第２制御装置
【図１】
0003606905.tif 000002
【図２】
0003606905.tif 000003
【図３】
0003606905.tif 000004
【図４】
0003606905.tif 000005
【図５】
0003606905.tif 000006
【図６】
0003606905.tif 000007
【図７】
0003606905.tif 000008